(57)【特許請求の範囲】
【請求項１】
第１の通信規格に準拠する通信事業者回線に接続された第１のインタフェース部と、該第１の通信規格と異なる第２の通信規格に準拠する自営網回線に接続された第２のインタフェース部とを備え、前記通信事業者回線からの伝送信号を前記自営網回線へ伝送するにあたり、伝送信号に付加されるフレームビットを、前記第１の通信規格に対応する第１のフレームビットから前記第２の通信規格に対応する第２のフレームビットに付け替えて伝送する多重化装置であって、
前記第１のインタフェース部に設けられ、前記通信事業者回線からの伝送信号に付加された前記第１のフレームビットを外すとともに、該第１のフレームビットを外した伝送信号を伝送路を通じて前記第２のインタフェース部に向けて送出する第１のフレーマーと、
前記第１のインタフェース部に設けられ、前記通信事業者回線から回線障害を示す信号を受信すると、アラーム情報を出力する監視部と、
前記伝送路と別に設けられたアラーム情報用通信路を通じて、該監視部からアラーム情報を受信するとともに、受信した該アラーム情報を前記第２のインタフェース部に転送するアラーム情報転送部と、
前記第２のインタフェース部に設けられ、前記第１のインタフェース部からの伝送信号に前記第２のフレームビットを付加するとともに、該第２のフレームビットを付加した信号を前記自営網回線に向けて送出する第２のフレーマーと、
前記第２のインタフェース部に設けられ、前記アラーム情報転送部からアラーム情報を受信するアラーム制御部とを備え、
前記第２のフレーマーは、前記アラーム制御部がアラーム情報を受信したときに、前記伝送路を通じて前記第１のインタフェース部から伝送される伝送信号を閉塞し、前記第２のフレームビットを付加した信号に代えて、回線障害を示す値を有するデータビットに、回線障害を示す値を有する第３のフレームビットを付加した信号を、前記自営網回線へ出力することを特徴とする多重化装置。
【請求項２】
前記通信事業者回線は、ＴＴＣ標準ＪＴ−Ｉ．４３１ａに準拠することを特徴とする請求項１に記載の多重化装置。
【請求項３】
前記自営網回線は、ＩＴＶ−ＴＧ．７０３に準拠することを特徴とする請求項１又は２に記載の多重化装置。
【請求項４】
前記回線障害を示す値を有するデータビットに前記第３のフレームビットを付加した信号は、２進オール１信号であることを特徴とする請求項１、２又は３に記載の多重化装置。
【発明の詳細な説明】
【技術分野】
【０００１】
本発明は、多重化装置に関し、特に、通信事業者回線と自営網回線との間に配置され、自営網回線側に網同期装置を備えたシステム等に用いられる多重化装置に関する。
【背景技術】
【０００２】
従来、多重化装置は、各チャンネルからの信号を多重化し、伝送路インタフェースのフレーマーでフレームを付加して伝送路に送出する。一方、伝送路から受信した信号は、伝送路インタフェースのフレーマーでフレームを外し、各チャンネル（以下、適宜「ＣＨ］という）に分離する。
【０００３】
従来の多重化装置は、例えば、図３に示すように、多重化装置１６Ａの伝送路インタフェース１７Ａが受信信号に異常があることを検出すると「受信断」を表示し、前段の装置からの回線障害を示すＡＩＳ（Alarm indication signal）信号（オール“１”）を検出すると「ＡＩＳ受信」を表示する。伝送路の障害情報は、伝送路インタフェース１７Ａで終端され、アラーム表示するとともに、各ＣＨのデータをＡＩＳ信号（オール“１”）に変換して送出する。アラーム監視部４Ａは、伝送路アラーム監視区間２１で発生した異常をアラームとして表示する。
【０００４】
また、通信事業者回線と自営網回線とを中継接続する場合には、図４に示すように、通信事業者回線２２（「ＴＴＣ標準ＪＴ−Ｉ．４３１ａ」に準拠等）の伝送路インタフェース１７Ａを有する多重化装置１６Ａと、自営網回線２３（「ＩＴＶ−ＴＧ．７０３」に準拠等）の伝送路インタフェース１７Ｂを有する多重化装置１６Ｂとを、各チャンネル２０を挟んで相対向させて接続してインタフェース変換をする必要がある。
【０００５】
ここで、伝送路の障害情報は、伝送路インタフェース１７Ａで終端されるため、通信事業者回線２２の伝送路アラーム監視区間２１で障害が発生した場合には、単にオール“１”の信号として各ＣＨ２０で中継される。従って、自営網回線２３にはオール“１”の信号が送出されるため、自営網回線２３側で通信事業者回線２２側の障害を知ることはできない。
【０００６】
さらに、通信事業者回線２２側の伝送路で回線断が発生した場合には、図４及び図５に示すように、伝送路インタフェース１７Ｂでは、信号がオール“０”として認識される。また、前段からの障害発生を示すＡＩＳ信号を受信すると、伝送路インタフェース１７Ｂでは信号がオール“１”として認識される。このように、いずれの場合もフレームビット“Ｆ”が異常となるため、伝送路インタフェース１７Ｂは、回線異常を検知することができる。しかし、自営網回線２３側には、フレームビット“Ｆ”は正常で、データがオール“１”となる信号が送出されることになる。
【発明の開示】
【発明が解決しようとする課題】
【０００７】
上記従来の技術においては、図４に示す通信事業者回線２２側で障害が発生した場合には、伝送路インタフェース部１７Ａで終端してアラームを表示し、自営網回線２３側は、新たにフレームの組まれた正常な信号のみを中継するため、自営網回線２３側に、回線異常等の障害が発生したことを通知することができないという問題があった。
【０００８】
また、通信事業者回線２２と自営網回線２３とが混在したシステムを構築し、自営網回線２３側に網同期装置を設置して通信事業者回線２２からのクロックに自営網を従属させる構成の場合には、本来であれば、通信事業者回線２２側に障害が発生したことを検知して網同期装置を自走させなければならないが、従来の多重化装置では、自営網回線２３側に障害が転送されないため、網同期装置が自走せず、そのまま不安定な多重化装置に従属し続けてしまうため、網同期装置を使用することができないという問題があった。
【０００９】
そこで、本発明は、上記従来の問題点に鑑みてなされたものであって、通信事業者回線側で障害が発生した場合に、その旨自営網回線側に伝達することができるとともに、通信事業者回線と自営網回線とが混在したシステムを構築した場合に、網同期装置を使用することができる多重化装置を提供することを目的とする。
【課題を解決するための手段】
【００１０】
上記目的を達成するため、本発明は、第１の通信規格に準拠する通信事業者回線に接続された第１のインタフェース部と、該第１の通信規格と異なる第２の通信規格に準拠する自営網回線に接続された第２のインタフェース部とを備え、前記通信事業者回線からの伝送信号を前記自営網回線へ伝送するにあたり、伝送信号に付加されるフレームビットを、前記第１の通信規格に対応する第１のフレームビットから前記第２の通信規格に対応する第２のフレームビットに付け替えて伝送する多重化装置であって、前記第１のインタフェース部に設けられ、前記通信事業者回線からの伝送信号に付加された前記第１のフレームビットを外すとともに、該第１のフレームビットを外した伝送信号を伝送路を通じて前記第２のインタフェース部に向けて送出する第１のフレーマーと、前記第１のインタフェース部に設けられ、前記通信事業者回線から回線障害を示す信号を受信すると、アラーム情報を出力する監視部と、前記伝送路と別に設けられたアラーム情報用通信路を通じて、該監視部からアラーム情報を受信するとともに、受信した該アラーム情報を前記第２のインタフェース部に転送するアラーム情報転送部と、前記第２のインタフェース部に設けられ、前記第１のインタフェース部からの伝送信号に前記第２のフレームビットを付加するとともに、該第２のフレームビットを付加した信号を前記自営網回線に向けて送出する第２のフレーマーと、前記第２のインタフェース部に設けられ、前記アラーム情報転送部からアラーム情報を受信するアラーム制御部とを備え、前記第２のフレーマーは、前記アラーム制御部がアラーム情報を受信したときに、前記伝送路を通じて前記第１のインタフェース部から伝送される伝送信号を閉塞し、前記第２のフレームビットを付加した信号に代えて、回線障害を示す値を有するデータビットに、回線障害を示す値を有する第３のフレームビットを付加した信号を、前記自営網回線へ出力することを特徴とする。
【００１１】
そして、本発明によれば、通信事業者回線から回線障害を示す信号を受信した場合に、自営網回線に接続されたインタフェース部のフレーマーからの出力信号を閉塞するようにしたため、通信事業者回線側で障害が発生したことを自営網回線に伝えることができる。これに加え、通信事業者回線側に障害が発生した場合、自営網回線側の出力を閉塞させるため、その配下の通信装置が回線異常を検知することが可能となり、通信事業者回線と自営網回線が混在したシステムを構築した場合に、確実に網同期装置を自走させることができるため、網同期装置を使用して自営網の同期を通信事業者回線に従属させることができる。
【００１２】
前記多重化装置において、前記通信事業者回線を、ＴＴＣ標準ＪＴ−Ｉ．４３１ａに準拠するものとすることができ、前記自営網回線を、ＩＴＶ−ＴＧ．７０３に準拠するものとすることができる。また、前記回線障害を示す値を有するデータビットに前記第３のフレームビットを付加した信号を、２進オール１信号とすることができる。                                                                      
【発明の効果】
【００１３】
以上のように、本発明によれば、通信事業者回線側で障害が発生した場合に、自営網回線側に伝達することができ、通信事業者回線と自営網回線とが混在したシステムにおいて、網同期装置を使用することが可能となる。
【発明を実施するための最良の形態】
【００１４】
次に、本発明の実施の形態について図面を参照しながら説明する。
【００１５】
図１は、本発明にかかる多重化装置の一実施の形態を示し、この多重化装置１００は、通信事業者回線からの入出力信号１を終端するＩ．４３１ａフレーマー２と、Ｉ．４３１ａフレーマー２で受信した信号からクロックを抽出して内部クロックとするクロック受信部３と、Ｉ．４３１ａフレーマー２で回線障害を検知した場合にアラームを送出するアラーム監視部４とで構成されるＩ．４３１ａインタフェース部５と、自営網回線からの入出力信号６を終端するＧ．７０３フレーマー７と、自営網回線への出力信号を内部クロックに同期させるクロック変換部８により構成されるＧ．７０３インタフェース部９と、Ｉ．４３１ａインタフェース部５及びＧ．７０３インタフェース部９を接続して、チャンネルの組み換えなどを行うクロスコネクト部１０と、各部を監視制御する共通部１１と、各部に電源を供給する電源部１２とを備え、さらに、アラーム監視部４において通信事業者回線の障害をＧ．７０３インタフェース部９に伝えるアラーム情報転送部１３と、アラーム情報転送部１３から回線障害情報を受けて自営網に対する出力を閉塞する機能を有するアラーム制御部１５とを備え、図３に示した従来の多重化装置に、アラーム情報転送部１３とアラーム制御部１５とを追加したことを特徴とする。
【００１６】
次に、上記構成を有する多重化装置１００の動作について、図面を参照しながら説明する。
【００１７】
この多重化装置１００は、通信事業者回線と自営網回線に接続され、通信事業者回線から自営網回線に信号を変換するために使用される。通信事業者回線からオール“１”又はオール“０”の信号１、あるいはフレームビットの異常等の回線障害を示す信号１を受信した場合には、Ｉ．４３１ａフレーマー２でこれを検知して、アラーム監視部４でアラーム信号を発する。
【００１８】
アラーム監視部４は、アラーム信号を発すると同時に、アラーム情報転送部１３にもアラーム情報を出力する。アラーム情報転送部１３は、自営網に接続されたＧ．７０３インタフェース部９のアラーム制御部１５にアラーム情報を転送する。アラーム制御部１５は、アラーム情報の転送を受けると、Ｇ．７０３フレーマー７に出力信号を閉塞（オール“１”）するように制御する。これにより、Ｇ．７０３フレーマー７は、信号の伝送を停止し、出力信号を閉塞（オール“１”）する。
【００１９】
図２に、自営網回線への出力信号６のフレーム構成を示す。Ｉ．４３１ａインタフェース部５で回線障害を検知し、Ｇ．７０３インタフェース部９の出力信号を閉塞する場合には、すべてのビットがオール“１”となり、自営網へ回線障害を通知する。
【００２０】
通信事業者回線からの入力信号１が正常に戻った場合には、Ｉ．４３１ａフレーマー２で検知していたアラームが解消され、アラーム監視部４からのアラーム信号も停止する。これに伴い、アラーム情報転送部１３経由でＧ．７０３インタフェース部９のアラーム制御部１５に転送されていたアラーム情報も停止する。
【００２１】
尚、アラーム制御部１５は、手動スイッチにより、制御を受けた時に出力信号を閉塞（オール“１”）するか否かを選択できるように構成しても良い。
【産業上の利用可能性】
【００２２】
本発明にかかる多重化装置は、自営網と通信事業者網とが混在した通信システムに利用することができる。特に、自営網内に網同期装置を有し、通信事業者網からクロックを抽出してこれに網同期装置を従属させるシステムにおいて利用可能である。
【図面の簡単な説明】
【００２３】
【図１】本発明にかかる多重化装置の一実施の形態を示す全体構成図である。
【図２】図１の多重化装置のＧ．７０３フレームの構成図である。
【図３】従来の多重化装置の一例を示す全体構成図である。
【図４】従来の多重化装置によって通信事業者回線と自営網回線とを中継接続する場合の一例を示す構成図である。
【図５】伝送路で障害が発生した場合に従来の多重化装置で送受される信号の一例を示す図である。
【符号の説明】
【００２４】
１００  多重化装置
１  通信事業者回線からの入出力信号
２  Ｉ．４３１ａフレーマー
３  クロック受信部
４  アラーム監視部
５  Ｉ．４３１ａインタフェース部
６  自営網回線からの入出力信号
７  Ｇ．７０３フレーマー
８  クロック変換部
９  Ｇ．７０３インタフェース部
１０  クロスコネクト部
１１  共通部
１２  電源部
１３  アラーム情報転送部
１４  回線障害情報
１５  アラーム制御部
【図１】
0004572177.tif 000002
【図２】
0004572177.tif 000003
【図３】
0004572177.tif 000004
【図４】
0004572177.tif 000005
【図５】
0004572177.tif 000006